(57)【特許請求の範囲】
【請求項１】
限時動作や瞬時動作限時復帰、繰り返し動作などの動作モード表示を切換える動作モード用切換機構部、時、分、秒などの時間単位仕様表示を切換える時間単位用切換機構部、複数の時間表示用数字を一組とした数字配列を複数有する時間目盛を切換える時間目盛用切換機構部を組付ける歯車ボックスと、表面に目盛りと複数の表示窓を設けた目盛板と、前記時間目盛を表記した文字板とを備え、前記動作モード用切換機構部の駆動により前記表示窓から順次前記動作モード表示を露出させ、前記時間単位用切換機構部の駆動により前記表示窓から順次前記時間単位仕様表示を露出させると共に、前記時間目盛用切換機構部を作動させることによって前記文字板を偏心回動させてレンジ設定操作で設定される時限時間に対応して前記表示窓から順次前記時間目盛を露出させる電子タイマにおいて、
前記時間目盛用切換機構部は、ドライバー等の回転調整具の操作により回転する時間目盛切換部材と、この時間目盛切換部材の駆動により前記文字板を偏心回動させる文字板偏心回動機構部とで構成してあり、前記表示窓から露出する前記動作モード表示、前記時間単位仕様表示及び前記時間目盛を拡大手段により拡大するようにし、
且つ、前記文字板偏心回動機構部は、前記時間目盛切換部材に、当該時間目盛切換部材の回動中心から一定の距離だけ偏心した文字板側偏心突部を設け、前記歯車ボックスに複数個の円環状ガイド溝を設け、前記文字板に複数本の文字板側ガイド突起を設けると共に、前記文字板にレバー部を設けて、このレバー部に文字板側支承部を設け、前記歯車ボックスで前記時間目盛切換部材を回転可能に保持すると共に、前記歯車ボックスに前記文字板を沿わせて、前記文字板側偏心突部を前記文字板側支承部に回転可能に係合し、前記文字板側ガイド突起を、その対応する前記円環状ガイド溝に摺動可能に挿入して構成してあることを特徴とする電子タイマ。
【請求項２】
前記時間単位用切換機構部は、前記回転調整具の操作により回転する時間単位切換部材と、この時間単位切換部材の駆動により前記時間単位仕様を表示した時間単位表示板を偏心回動させる時間単位表示板偏心回動機構部とで構成したことを特徴とする請求項１に記載の電子タイマ。
【請求項３】
前記時間単位表示板偏心回動機構部は、前記時間単位切換部材に、この時間単位切換部材の回動中心から一定の距離だけ偏心した表示板側偏心突部を設け、前記歯車ボックスに円環状ガイド溝を設け、前記時間単位表示板にレバー部を形成し、このレバー部に表示板側ガイド突起を設けると共に、前記レバー部の先部に表示板側支承部を設け、前記歯車ボックスで前記時間単位切換部材を回転可能に保持すると共に、前記表示板側偏心突部を前記表示板側支承部に回転可能に係合し、前記表示板側ガイド突起を前記円環状ガイド溝に摺動可能に挿入して構成してあることを特徴とする請求項２に記載の電子タイマ。
【請求項４】
前記拡大手段が、前記動作モード表示、前記時間単位仕様表示及び前記時間目盛に対応する複数のレンズであり、これらレンズを前記表示窓に表出させるようにしたことを特徴とする請求項１乃至請求項３のいずれか一に記載の電子タイマ。
【請求項５】
前記レンズは透明板に一対成形してあり、この透明板を前記文字板と前記目盛板との間に介在させて、前記レンズを前記表示窓に表出させるようにしたことを特徴とする請求項４に記載の電子タイマ。
【発明の詳細な説明】
【技術分野】
【０００１】
本発明は、仕様切換装置を改良したアナログタイマである電子タイマに関するものである。
【背景技術】
【０００２】
従来の電子タイマとしては、限時動作や瞬時動作限時復帰、繰り返し動作などの動作モード表示を切換える動作モード用切換機構部、時、分、秒などの時間単位仕様表示を切換える時間単位用切換機構部、複数の時間表示用数字を一組とした数字配列を複数有する時間目盛を切換える時間目盛用切換機構部を組付ける歯車ボックスと、表面に目盛りと複数の表示窓を設けた目盛板と、前記時間目盛を表記した文字板とを備えたものがある（特許文献１参照）。
【０００３】
そして、時間目盛用切換機構部は、溝部を有する入力歯車と、この入力歯車に噛み合うスイッチ歯車と、このスイッチ歯車に噛み合うカム歯車を有しており、カム歯車に、このカム歯車の回転軸心から一定の距離だけ偏心した偏心円板を設け、文字板に中央孔を設けて、この中央孔に偏心円板を回動可能に嵌合し、文字板に、偏心円板の偏心距離を半径とする少なくとも三個の円環状ガイド溝を設け、歯車ボックスに三本のガイド突起を設け、これらのガイド突起を、それぞれが対応する円環状ガイド溝に一本ずつ摺動可能に係合させている。
【０００４】
上記した時間目盛用切換機構部によれば、目盛板の調整孔からドライバー等の回転調整具を入力歯車の溝部に差し込んで入力歯車を所定角度回動すると、これに噛み合うスイッチ歯車、カム歯車が順次回動するので、カム歯車に設けた偏心円板がカム歯車の回動軸心から偏心して回動する。そして、中央孔に偏心円板を回動可能に嵌合した文字板の円環状ガイド溝が歯車ボックスのガイド突起に摺動可能に係合しているために、これらにガイドされて文字板は偏心距離を半径とする円弧を描くように偏心回動する。
【０００５】
したがって、入力歯車を所定角度回動することにより、４個一組の時間表示用数字がそれぞれに偏心回動し、各表示窓から時間表示用数字のいずれかが露出し、目盛りの数字が切り変わる。
【０００６】
また、時間単位用切換機構部は、ドライバーを差し込んで回動できる溝部を有する入力歯車（時間単位切換用歯車）と、この入力歯車に噛合するスイッチ歯車（接点切換歯車）を有する時間単位切換用スイッチボックスと、スイッチ歯車に噛合するカム歯車（表示歯車）を有する時間単位表示板を有している。
【０００７】
そして、ドライバーを入力歯車の溝部に差し込み、この入力歯車を回転し、スイッチ歯車を回転させ、カム歯車を介して時間単位表示板を回転させて表示窓に時間単位仕様表示、例えば分（ｍｉｎ）を表示する。
【０００８】
この従来例の電子タイマによれば、時間設定装置を構成する文字板に多数の時間表示用数字を大きく表記できると共に、時間表示用数字の設計、印刷を容易にしている。
【特許文献１】特開平４−３０３５３２号公報
【発明の開示】
【発明が解決しようとする課題】
【０００９】
しかしながら、従来例の電子タイマによれば、時間目盛用切換機構部が、入力歯車と、この入力歯車に噛み合うスイッチ歯車と、このスイッチ歯車に噛み合うカム歯車を有しており、カム歯車に偏心円板を設け、文字板に中央孔を設けて、この中央孔に偏心円板を回動可能に嵌合していて、文字板を、偏心距離を半径とする円弧を描くように偏心回動させるように、部品点数を多くして多数の時間表示用数字を大きく表記すると共に、時間表示用数字の設計、印刷を容易にしているのであって、部品点数を削減してコスト低減を図ることができる電子タイマの出現が要望されていた。
【００１０】
また、時間単位用切換機構部では、時間目盛用切換機構部と同様に、入力歯車と、この入力歯車に噛み合うスイッチ歯車と、このスイッチ歯車に噛み合うカム歯車を有していて、部品点数が多くコスト低減を困難にしていた。
【００１１】
本発明は、上記の事情に鑑みなされたものであって、その目的とするところは、部品点数を削減してコスト低減を図ることができ、且つ視認性の良い電子タイマを提供することである。
【課題を解決するための手段】
【００１２】
上記した目的を達成するために、本発明に係る電子タイマは、限時動作や瞬時動作限時復帰、繰り返し動作などの動作モード表示を切換える動作モード用切換機構部、時、分、秒などの時間単位仕様表示を切換える時間単位用切換機構部、複数の時間表示用数字を一組とした数字配列を複数有する時間目盛を切換える時間目盛用切換機構部を組付ける歯車ボックスと、表面に目盛りと複数の表示窓を設けた目盛板と、時間目盛を表記した文字板とを備え、動作モード用切換機構部の駆動により表示窓から順次動作モード表示を露出させ、時間単位用切換機構部の駆動により表示窓から順次時間単位仕様表示を露出させると共に、時間目盛用切換機構部を作動させることによって文字板を偏心回動させてレンジ設定操作で設定される時限時間に対応して表示窓から順次時間目盛を露出させる電子タイマにおいて、時間目盛用切換機構部は、ドライバー等の回転調整具の操作により回転する時間目盛切換部材と、この時間目盛切換部材の駆動により文字板を偏心回動させる文字板偏心回動機構部とで構成してあり、表示窓から露出する動作モード表示、時間単位仕様表示及び時間目盛を拡大手段により拡大するようにし、且つ、文字板偏心回動機構部が、時間目盛切換部材に、当該時間目盛切換部材の回動中心から一定の距離だけ偏心した文字板側偏心突部を設け、歯車ボックスに複数個の円環状ガイド溝を設け、文字板に複数本の文字板側ガイド突起を設けると共に、文字板にレバー部を設けて、このレバー部に文字板側支承部を設け、歯車ボックスで時間目盛切換部材を回転可能に保持すると共に、歯車ボックスに文字板を沿わせて、文字板側偏心突部を文字板側支承部に回転可能に係合し、文字板側ガイド突起を、その対応する円環状ガイド溝に摺動可能に挿入して構成してあることを特徴とする。
【００１３】
したがって、時間目盛用切換機構部は、ドライバー等の回転調整具の操作により回転する時間目盛切換部材と、文字板偏心回動機構部とで構成してあるために、従来例の電子タイマで必要であった入力歯車、スイッチ歯車及びカム歯車と偏心円板がなくても文字板を偏心回動させることができ、入力歯車、スイッチ歯車及びカム歯車と偏心円板を削除することで、すなわち、部品点数を削減することでコストダウンを図ることができる。
【００１４】
また、入力歯車、スイッチ歯車及びカム歯車と偏心円板を削除することにより、文字板の偏心半径が縮小して、動作モード表示、時間単位仕様表示、複数の時間目盛（数字配列の時間表示用数字）からなる文字情報の寸法が小さくなるが、表示窓から露出する文字情報を拡大手段により拡大することで、従来例と変わらない視認性の良い電子タイマの提供が可能になる。
【００１６】
更に、時間目盛切換部材を回転させると、文字板側偏心突部が時間目盛切換部材の回動中心を中心として所定の半径の円弧を描くように回動し、文字板に設けたレバー部を介して文字板側ガイド突起が歯車ボックスの円環状ガイド溝にガイドされることで、文字板を偏心回動させることができ、各表示窓から時間目盛のいずれかが露出して数字が切り変わり、表示窓に時間目盛を表示し、これらの時間目盛は、動作モード表示、時間単位仕様表示と共に、拡大手段により拡大することで、従来例と視認性が変わらない電子タイマの提供が可能になる。また、従来の電子タイマで必要であった入力歯車、スイッチ歯車及びカム歯車と偏心円板がなくても文字板を偏心回動させることができ、このように、入力歯車、スイッチ歯車及びカム歯車と偏心円板を削除することで、すなわち、部品点数を削減することでコストダウンを図ることができる。
【００１７】
また、上記した本発明に係る電子タイマにおいて、本発明に係る電子タイマでは、時間単位用切換機構部は、回転調整具の操作により回転する時間単位切換部材と、この時間単位切換部材の駆動により時間単位仕様を表示した時間単位表示板を偏心回動させる時間単位表示板偏心回動機構部とで構成するようにしてもよい。
【００１８】
したがって、時間単位用切換機構部は、回転調整具の操作により回転する時間単位切換部材と時間単位表示板偏心回動機構部とで構成してあるために、従来例の電子タイマで必要であった入力歯車、スイッチ歯車及びカム歯車と偏心円板がなくても時間単位表示板を偏心回動させることができ、入力歯車、スイッチ歯車及びカム歯車と偏心円板を削除することで、すなわち、部品点数を削減することでコストダウンを図ることができる。
【００１９】
また、上記した本発明に係る電子タイマにおいて、本発明に係る電子タイマでは、時間単位表示板偏心回動機構部は、時間単位切換部材に、この時間単位切換部材の回動中心から一定の距離だけ偏心した表示板側偏心突部を設け、歯車ボックスに円環状ガイド溝を設け、時間単位表示板にレバー部を形成し、このレバー部に表示板側ガイド突起を設けると共に、レバー部の先部に表示板側支承部を設け、歯車ボックスで時間単位切換部材を回転可能に保持すると共に、表示板側偏心突部を表示板側支承部に回転可能に係合し、表示板側ガイド突起を円環状ガイド溝に摺動可能に挿入して構成するようにしてもよい。
【００２０】
したがって、時間単位切換部材を回転させると、表示板側偏心突部が時間単位切換部材の回動中心を中心として所定の半径の円弧を描くように回動し、時間単位表示板に設けたレバー部を介して表示板側ガイド突起が歯車ボックスの円環状ガイド溝にガイドされることで、従来の電子タイマで必要であった入力歯車、スイッチ歯車及びカム歯車がなくても時間単位表示板を偏心回動させることができ、このように、入力歯車、スイッチ歯車及びカム歯車と偏心円板を削除することで、すなわち、部品点数を削減することでコストダウンを図ることができる。
【００２１】
また、上記した本発明に係る電子タイマにおいて、本発明に係る電子タイマは、拡大手段が、動作モード表示、時間単位仕様表示及び時間目盛に対応する複数のレンズであり、これらレンズを表示窓に表出させるようにしてもよい。
【００２２】
したがって、入力歯車、スイッチ歯車及びカム歯車と偏心円板を削除することにより、文字板の偏心半径が縮小して、動作モード表示、時間単位仕様表示、時間目盛（数字配列の時間表示用数字）からなる文字情報の寸法が小さくなるが、表示窓から露出する文字情報をレンズにより拡大することで、従来例と変わらない視認性の良い電子タイマの提供が可能になる。
【００２３】
また、上記した本発明に係る電子タイマにおいて、本発明に係る電子タイマは、レンズは透明板に一対成形してあり、この透明板を文字板と目盛板との間に介在させて、レンズを表示窓に表出させるようにしてもよい。
【００２４】
したがって、レンズを一対成形した透明板を文字板と目盛板との間に介在させてレンズを表示窓に表出させることで、レンズの電子タイマへの組み込みが容易になる。
【発明の効果】
【００２５】
本発明に係る電子タイマによれば、時間目盛用切換機構部は、従来例の電子タイマで必要であった入力歯車、スイッチ歯車及びカム歯車と偏心円板がなくても文字板を偏心回動させることができ、また、時間単位表示板偏心回動機構部は、従来例の電子タイマで必要であった入力歯車、スイッチ歯車及びカム歯車がなくても時間単位表示板を偏心回動させることができて、部品点数を削減することでコストダウンを図ることができる。
【００２６】
また、入力歯車、スイッチ歯車及びカム歯車と偏心円板を削除することにより、文字板の偏心半径が縮小して、動作モード、時間単位仕様表示、時間目盛（数字配列の時間表示用数字）からなる文字情報の寸法が小さくなるが、表示窓から露出する文字情報を拡大手段（レンズ）により拡大することで、従来例と変わらない視認性の良い電子タイマの提供が可能になる。
【発明を実施するための最良の形態】
【００２７】
以下、本発明に係る電子タイマを図面に基づいて説明する。
【００２８】
図１は本発明に係る電子タイマの斜視図、図２は同電子タイマの一部省略した分解状態の斜視図、図３は同電子タイマにおいて、時間設定つまみと指針を外した状態を正面から見た説明図、図４は内部ユニットに、レンズを一体成形した透明板を装着した状態の斜視図、図５は内部ユニットから透明板を分離した状態の斜視図である。
【００２９】
本発明の実施例に係る電子タイマは、図１及び図２に示すように、ケース１と、内部ユニット２と、文字板３と、レンズ機能付きの透明板４と、目盛板５と、指針６と、透明な時間設定つまみ７を備えている。
【００３０】
図２において、内部ユニット２は、歯車ボックス８と、歯車機構９を備えている。歯車ボックス８には、その中央に、つまみ軸７０を回転自在に支承した軸支用ボス１１が設けてあり、また、図６に示すように，歯車ボックス８の表側８ａには、図６において右上寄りに、円環状ガイド溝１２と円環状ガイド溝１３が形成してあり、また、図１１に示すように、歯車ボックス８の背面８ｂには円環状ガイド溝１０が形成してある。
【００３１】
図２に示すように、歯車ボックス８には、限時動作や瞬時動作限時復帰、繰り返し動作などの動作モード表示を切換える動作モード用切換機構部Ｘと、時、分、秒などの時間単位仕様表示を切換える時間単位用切換機構部Ｙと、時間目盛を切換える時間目盛用切換機構部Ｚとを有する仕様切換装置が組付けてある。
【００３２】
また、図２に示すように、動作モード用切換機構部Ｘは、回転調整具であるドライバー（図示せず）を差し込んで回動できる溝部１５Ａを有する動作モード切換用歯車１５と、この動作モード切換用歯車１５に噛合する接点切換歯車１６Ａを有する動作モード切換用スイッチボックス１６とを備えており、動作モード切換用歯車１５と動作モード切換用スイッチボックス１６とは共に歯車ボックス８内に回動自在に収納される（図６参照）。
【００３３】
動作モード切換用スイッチボックス１６の外周面部には９０度の間隔で噛合い凹部１８が形成してあり、これらの噛合い凹部１８は歯車ボックス８に形成したラチェット爪（図示せず）に係合して９０度ごとに位置決めされるものである。図７に示すように、動作モード切換用スイッチボックス１６の前面には動作モード仕様表示が印字してある。
【００３４】
図２に示すように、時間単位用切換機構部Ｙは、時間単位切換部材２０と時間単位表示板２１を備えている。図１５及び図１６に示すように、時間単位切換部材２０は、その正面側にドライバーを差し込んで回動できる溝部２０Ａを有しており、また、背面側には、時間単位切換部材２０の回動中心ｓから距離ｒ偏った位置に表示板側偏心突部２２が設けてある。また、時間単位切換部材２０の外周面部には９０度の間隔で噛合い凹部２３が形成してあり、これらの噛合い凹部２３は歯車ボックス８に形成したラチェット爪２７に係合して９０度ごとに位置決めされるものである（図７参照）。
【００３５】
図１２に示すように、時間単位表示板２１には時（ｈｒｓ）、分（ｍｉｎ）、秒（ｓｅｃ）などの時間単位の文字（時間単位仕様表示）が印字してある。図１３及び図１４に示すように、この時間単位表示板２１には、中間に屈曲部２４ａを有するレバー部２４が一体に形成してあり、この屈曲部２４ａには表示板側ガイド突起２５が設けてある。また、レバー部２４の先部には支承孔からなる表示板側支承部２６が設けてある。
【００３６】
そして、図１０に示すように、時間単位切換部材２０と時間単位表示板２１とは、共に歯車ボックス８内に回動自在に収納してあり、図１１に示すように、レバー部２４の表示板側ガイド突起２５は、歯車ボックス８の背面８ｂに設けた円環状ガイド溝１０に摺動可能に挿入してあり、また、図１０に示すように、時間単位切換部材２０の表示板側偏心突部２２がレバー部２４の表示板側支承部２６に回転可能に係合している。
【００３７】
上記したように、時間単位切換部材２０の背面側に、この時間単位切換部材２０の回動中心ｓから距離ｒ偏った位置に表示板側偏心突部２２を設け、歯車ボックス８に円環状ガイド溝１０を設け、時間単位表示板２１に、中間に屈曲部２４ａを有するレバー部２４を形成し、この屈曲部２４ａに表示板側ガイド突起２５を設けると共に、レバー部２４の先部に表示板側支承部２６を設け、歯車ボックス８で時間単位切換部材２０を回転可能に保持すると共に、表示板側ガイド突起２５を円環状ガイド溝１０に摺動可能に挿入すると共に、表示板側偏心突部２２を表示板側支承部２６に回転可能に係合して時間単位表示板偏心回動機構部が構成してある。
【００３８】
図２に示すように、時間目盛用切換機構部Ｚは時間目盛切換部材３０を備えており、図１５及び図１６に示すように、この時間目盛切換部材３０は、その正面側にドライバーを差し込んで回動できる溝部３０Ａを有しており、また、背面側には、時間目盛切換部材３０の回動中心ｓから距離ｒ−１偏った位置に文字板側偏心突部３２が設けてある。また、時間目盛切換部材３０の外周面部には９０度の間隔で噛合い凹部３３が形成してあり、図７に示すように、これらの噛合い凹部３３は歯車ボックス８に形成したラチェット爪３４に係合して９０度ごとに位置決めされるものである。
【００３９】
図２に示すように、歯車ボックス８の前方には文字板３が配置してある。図１７乃至図１９に示すように、この文字板３は一部切り欠いた略ドーナッツ状円板からなるもので、切欠き部からなる内側円弧部５１を有すると共に、図１８に示すように、その表面側に四組の数字配列の時間表示用数字からなる時間目盛（０  ０．５  １  １．５  ２  ２．５  ３）、（０  ２  ４  ６  ８  １０  １２）、（０  ０．２  ０．４  ０．６  ０．８  １．０  １．２）、（０  ５  １０  １５  ２０  ２５  ３０）が印刷してある。
【００４０】
また、文字板３には、図１８において左下寄りにレバー部５２が一体に形成してあり、このレバー部５２の先部には支承用凹部からなる文字板側支承部５５が設けてある。また、図１９及び図２０に示すように、文字板３の裏面には、二つの文字板側ガイド突起５３，５４が設けてある。
【００４１】
そして、図７及び図８に示すように、文字板３のレバー部５２が歯車ボックス８に設けた開口部８Ｂから歯車ボックス８の裏側に挿入してあり、また、文字板３の内側円弧部５１には軸支用ボス１１が内接しており、文字板３の裏面に設けた一方の文字板側ガイド突起５３が歯車ボックス８の円環状ガイド溝１２に挿入してあり、他方の文字板側ガイド突起５４が歯車ボックス８の円環状ガイド溝１３に挿入してある。
【００４２】
また、図７に示すように、時間目盛切換部材３０は歯車ボックス８に回動自在に収納してあり、時間目盛切換部材３０の背面側に設けた文字板側偏心突部３２がレバー部５２の文字板側支承部５５に回転可能に係合している。
【００４３】
上記したように、時間目盛切換部材３０の背面側に、時間目盛切換部材３０の回動中心ｓから距離ｒ−１偏った位置に文字板側偏心突部３２が設け、歯車ボックス８に二個の円環状ガイド溝１２，１３を設けると共に、文字板３に二本の文字板側ガイド突起５３，５４を設けると共に、文字板３にレバー部５２を一体に形成して、このレバー部５２の先部に文字板側支承部５５を設け、歯車ボックス８で時間目盛切換部材３０を回転可能に保持すると共に、歯車ボックス８に文字板３を沿わせて、文字板側偏心突部３３を文字板側支承部５５に回転可能に係合し、文字板側ガイド突起５３，５４を、その対応する円環状ガイド溝１２，１３に摺動可能に挿入して文字板偏心回動機構部が構成してある。
【００４４】
図２及び図５に示すように、レンズ機能付きの透明板４は、歯車ボックス８に組み付けられる略正方形状の透明な板材で構成してあり、透明板４の面部には、その中央部に軸支用ボス１１を挿通する軸孔６０と、この軸孔６０を中心とした仮想円上に所定の間隔で形成された時間目盛の各時間表示用数字に対応する拡大手段であるレンズ６１ａ〜６１ｇと、時間単位仕様表示に対応する拡大手段であるレンズ６２とが一体成形により形成してある。さらに、透明板４の角部には、動作モード切換用歯車３５に対応する調整孔６３及び拡大手段であるレンズ６３Ａ、時間単位切換用歯車２０に対応する調整孔６４、時間目盛切換用歯車３０に対応する調整孔６５がそれぞれ一体成形により形成してある。
【００４５】
そして、図４に示すように、透明板４は歯車ボックス８に組み付けてあり、軸孔６０には軸支用ボス１１が貫通している。また、調整孔６３には動作モード切換用歯車１５の溝部１５Ａが表出しており、調整孔６４には時間単位切換用歯車２０の溝部２０Ａが表出しており、調整孔６５には時間目盛切換用歯車３０の溝部３０Ａが表出している。そして、レンズ６１ａ〜６１ｇは時間表示用数字に対応しており、レンズ６２は時間単位仕様表示に対応しているし、レンズ６３Ａは動作モード表示に対応している。
【００４６】
図２に示すように、目盛板５は、歯車ボックス８に組み付けられる略正方形状の板材であり、その中央部には軸支用ボス１１を挿通する軸孔８２Ａを有し、これを中心として放射状に目盛り８２Ｂが設けてある。また、レンズ６１ａ〜６１ｇに対応する表示窓８３ａ〜８３ｇと、レンズ６２に対応する表示窓８４が目盛り８２Ｂの近傍に設けてある。さらに、目盛板５の角部には、動作モード切換用歯車１５を回動させて動作モード表示を切り換えるための調整孔８７及び表示窓８７Ａ、時間単位切換用歯車２０を回動させて時間単位仕様表示を切り換えるための調整孔８５、時間目盛切換用歯車３０を回動させて時間目盛を切り換えるための調整孔８６がそれぞれ設けてある。
【００４７】
そして、図３に示すように、目盛板５は、レンズ機能付き透明板４の前に配置されて歯車ボックス８に組み付けてあり、軸孔８２Ａには軸支用ボス１１が貫通している。また、表示窓８３ａ〜８３ｇにはレンズ６１ａ〜６１ｇが表出しており、表示窓８４にはレンズ６２が表出しており、表示窓８７Ａにはレンズ６３Ａが表出している。さらに、調整孔８７には動作モード切換用歯車１５の溝部１５Ａが表出しており、調整孔８５には時間単位切換用歯車２０の溝部２０Ａが表出しており、調整孔８６には時間目盛切換用歯車３０の溝部３０Ａが表出している。
【００４８】
図２に示すように、時間設定つまみ７の内面に指針６を取付け、時間設定つまみ７の中央孔７Ａに取付ねじ部材８９を挿通してつまみ軸７０に螺合することにより、時間設定つまみ７はつまみ軸７０に固定される。
【００４９】
次に、上記構成からなる電子タイマの動作を説明する。
【００５０】
まず、図１及び図３において、回転調整具であるドライバーを、調整孔６３に表出する動作モード切換用歯車１５の溝部１５Ａに差し込み、このドライバーを回転して動作モード切換用歯車１５を回転して、表示窓８４Ａに動作モード表示を表示する。この場合、動作モード表示はレンズ６３Ａにより拡大される。
【００５１】
次に、図１及び図３において、ドライバーを、調整孔８５に表出する時間単位切換部材２０の溝部２０Ａに差し込み、このドライバーを回転して時間単位切換部材２０を回転し、時間単位表示板偏心回動機構部を介して時間単位表示板２２を回転させて表示窓８４に時間単位仕様表示、例えば分（ｍｉｎ）を表示する。この場合、分（ｍｉｎ）はレンズ６２により拡大される。
【００５２】
すなわち、時間単位切換部材２０を回転することで表示板側偏心突部２２を偏心回転させて、レバー部２４の表示板側ガイド突起２５を円環状ガイド溝１０に沿わせて移動させることで時間単位表示板２１を円運動させて表示窓８４に時間単位仕様表示、例えば分（ｍｉｎ）を表示する。すなわち、時間単位切換部材２０の外周面部の９０度の間隔で形成された噛合い凹部２６にラチェット爪２７が係合して９０度ごとに位置決めされ、所定の時間単位仕様表示、例えば分（ｍｉｎ）を表示する。
【００５３】
次に、図３において、ドライバーを、調整孔８６に表出する時間目盛切換部材３０の溝部３０Ａに差し込み、このドライバーを回転して時間目盛切換部材３０を回転させると、時間目盛切換部材３０の背面側の文字板側偏心突部３２が、時間目盛切換部材３０の軸心を中心として半径ｒ−１の円弧を描くように回動する。
【００５４】
このために、文字板側偏心突部３２が，文字板３のレバー部５２を介して文字板１０を搖動させて、文字板３の二本のガイド突起５３，５４が、その対応する円環状ガイド溝１２，１３に案内されて移動することで文字板３を円運動させて、四個一組の時間表示用数字からなる時間目盛がそれぞれ偏心回動し、各表示窓８３ａ〜８３ｇから時間目盛の時間表示用数字のいずれかが露出して切り変わり、表示窓８３ａ〜８３ｇに時間目盛、例えば（０  ０．５  １  １．５  ２  ２．５  ３）を表示する。この場合、時間目盛（０  ０．５  １  １．５  ２  ２．５  ３）はレンズ６１ａ〜６１ｇにより拡大される。この場合、時間目盛切換部材３０の外周面部の９０度の間隔で形成された噛合い凹部３３にラチェット爪３４が係合して９０度ごとに位置決めされ、所定の時間目盛表示、例えば時間目盛（０  ０．５  １  １．５  ２  ２．５  ３）分（ｍｉｎ）を表示する。
【００５５】
次に、時間設定つまみ７を所望の時間目盛まで回すことにより所望の抵抗値にセットされる。これによって時間設定が完了し、電源を投入することにより、この電子タイマは、設定された仕様で動作する。
【００５６】
以上説明したように、本発明の実施の態様によれば、時間目盛用切換機構部Ｚは、ドライバー等の回転調整具の操作により回転する時間目盛切換部材３０と、この時間目盛切換部材３０の駆動により文字板３を偏心回動させる文字板偏心回動機構部とで構成してあり、文字板偏心回動機構部は、時間目盛切換部材３０に、当該時間目盛切換部材３０の回動中心ｓから一定の距離ｒ−１だけ偏心した文字板側偏心突部３２を設け、歯車ボックス８に二つの円環状ガイド溝１２，１３を設け、文字板３に二本のガイド突起５３，５４を設けると共に、文字板３にレバー部５２を設けて、このレバー部５２に文字板側支承部５５を設け、歯車ボックス８で時間目盛切換部材３０を回転可能に保持すると共に、歯車ボックス８に文字板３を沿わせて、文字板側偏心突部３２を文字板側支承部５５に回転可能に係合し、ガイド突起５３、５４を、その対応する円環状ガイド溝１２，１３に摺動可能に挿入して構成するようにしてある。
【００５７】
したがって、時間目盛切換部材３０を回転させると、文字板側偏心突部３２が時間目盛切換部材３０の回動中心ｓを中心として所定の半径ｒ−１の円弧を描くように回動し、文字板側ガイド突起５３、５４が歯車ボックス８の円環状ガイド溝１２，１３にそれぞれに摺動可能に係合しているために、これらにガイドされて文字板３を偏心回動させることができ、従来の電子タイマで必要であった入力歯車、スイッチ歯車及びカム歯車と偏心円板がなくても文字板３を偏心回動させることができて、これらの入力歯車、スイッチ歯車及びカム歯車と偏心円板を削除することで、すなわち部品点数を削減することでコストダウンを図ることができる。
【００５８】
また、入力歯車、スイッチ歯車及びカム歯車と偏心円板を削除することにより、文字板３の偏心半径が縮小して、動作モード表示、時間単位仕様表示、時間目盛（数字配列の時間表示用数字）からなる文字情報の寸法が小さくなるが、表示窓８７Ａ，８３ａ〜８３ｇ，８４から露出する文字情報をレンズ６３Ａ，６２，６１ａ〜６１ｇにより拡大することで、従来例と変わらない視認性の良い電子タイマの提供が可能になる。
【００５９】
また、本発明の実施の態様によれば、時間単位用切換機構部Ｙは、ドライバー等の回転調整具の操作により回転する時間単位切換部材２０と、この時間単位切換部材２０の駆動により時間単位仕様を表示した時間単位表示板２１を偏心回動させる時間単位表示板偏心回動機構部とで構成してあり、この時間単位表示板偏心回動機構部は、時間単位切換部材２０に、この時間単位切換部材２０の回動中心ｓから一定の距離ｒだけ偏心した表示板側偏心突部２２を設け、歯車ボックス８に円環状ガイド溝１０を設け、時間単位表示板２１にレバー部２４を形成し、このレバー部２４に表示板側ガイド突起２５を設けると共に、レバー部２４の先部に表示板側支承部２６を設け、歯車ボックス８で時間単位切換部材２０を回転可能に保持すると共に、歯車ボックス８に時間単位表示板２０を沿わせて、表示板側偏心突部２５を表示板側支承部２６に回転可能に挿入すると共に、表示板側ガイド突起２５を円環状ガイド溝１０に摺動可能に係合して構成してある。
【００６０】
したがって、時間単位切換部材２０を回転させると、表示板側偏心突部２が時間単位切換部材２０の回動中心を中心として所定の半径ｒの円弧を描くように回動し、時間単位表示板２１の表示板側ガイド突起２５が歯車ボックス８の円環状ガイド溝１０にそれぞれに摺動可能にして挿入してあるために、これらにガイドされて時間単位表示板２１を偏心回動させることができ、従来例の電子タイマで必要であった入力歯車、スイッチ歯車及びカム歯車がなくても時間単位表示板を偏心回動させることができ、これらの入力歯車、スイッチ歯車及びカム歯車を削除することで、すなわち、部品点数を削減することでコストダウンを図ることができる。
【産業上の利用可能性】
【００６１】
本発明に係る電子タイマは、従来例の電子タイマで必要であった入力歯車、スイッチ歯車及びカム歯車と偏心円板がなくても文字板を偏心回動させることができ、これらの入力歯車、スイッチ歯車及びカム歯車を削除することで、すなわち、部品点数を削減することでき、コストダウンを図ることができるばかりか、視認性が良いという効果を有し、仕様切換装置、例えば時間目盛りや時、分、秒などの時間単位仕様表示といった仕様を切り換える装置を有する電子タイマ等として有用である。
【図面の簡単な説明】
【００６２】
【図１】本発明に係る電子タイマの斜視図である
【図２】同電子タイマの一部省略した分解状態の斜視図である。
【図３】同電子タイマにおいて、時間設定つまみと指針を外した状態を正面から見た説明図である。
【図４】内部ユニットに、レンズを一体成形した透明板を装着した状態の斜視図である。
【図５】内部ユニットから透明板を分離した状態の斜視図である。
【図６】内部ユニットから文字板を分離した状態の正面図である。
【図７】内部ユニットに文字板を組付けた状態の正面図である。
【図８】内部ユニットに文字板を組付けた状態の背面図である。
【図９】図８のＦ部の斜視図である。
【図１０】図８のＧ部の斜視図である。
【図１１】歯車ボックスの裏面における円環状ガイド溝の説明図である。
【図１２】時間単位用切換機構部の主要部の斜視図である。
【図１３】時間単位表示板の斜視図である。
【図１４】同時間単位表示板の背面図である。
【図１５】時間単位切換部材（時間目盛切換部材）の斜視図である。
【図１６】同時間単位切換部材（時間目盛切換部材）の背面図である。
【図１７】時間目盛用切換機構部の主要部の斜視図である。
【図１８】文字板の正面図である。
【図１９】同文字板の背面図である。
【図２０】同文字板の側面図である。
【符号の説明】
【００６３】
１      ケース
２      内部ユニット
３      文字板
４      透明板
５      目盛板
８      歯車ボックス
９      歯車機構
１０    円環状ガイド溝
１１    軸支用ボス
１２    円環状ガイド溝
１３    円環状ガイド溝
２０    時間単位切換部材（時間単位表示板偏心回動機構部）
２０Ａ  溝部
２１    時間単位表示板（時間単位表示板偏心回動機構部）
２２    表示板側偏心突部（時間単位表示板偏心回動機構部）
２４    レバー部（時間単位表示板偏心回動機構部）
２５    表示板側ガイド突起（時間単位表示板偏心回動機構部）
２６    表示板側支承部（時間単位表示板偏心回動機構部）
３０    時間目盛切換部材（文字板偏心回動機構部）
３０Ａ  溝部（文字板偏心回動機構部）
３２    文字板側偏心突部（文字板偏心回動機構部）
５２    レバー部（文字板偏心回動機構部）
５５    文字板側支承部（文字板偏心回動機構部）
５３，５４  文字板側ガイド突起（文字板偏心回動機構部）
６１ａ〜６１ｇ  レンズ（拡大手段）
６２    レンズ（拡大手段）
６３Ａ  レンズ（拡大手段）
Ｘ      動作モード用切換機構部
Ｙ      時間単位用切換機構部
Ｚ      時間目盛用切換機構部
【図１】
0005109794.tif 000002
【図２】
0005109794.tif 000003
【図３】
0005109794.tif 000004
【図４】
0005109794.tif 000005
【図５】
0005109794.tif 000006
【図６】
0005109794.tif 000007
【図７】
0005109794.tif 000008
【図８】
0005109794.tif 000009
【図９】
0005109794.tif 000010
【図１０】
0005109794.tif 000011
【図１１】
0005109794.tif 000012
【図１２】
0005109794.tif 000013
【図１３】
0005109794.tif 000014
【図１４】
0005109794.tif 000015
【図１５】
0005109794.tif 000016
【図１６】
0005109794.tif 000017
【図１７】
0005109794.tif 000018
【図１８】
0005109794.tif 000019
【図１９】
0005109794.tif 000020
【図２０】
0005109794.tif 000021